(57)【特許請求の範囲】
【請求項１】
オーディオ信号を処理する複数のオーディオ信号処理回路が段階的に配置されて構成されるオーディオミキサを制御する情報処理装置において、
前記オーディオミキサの回路構成、および前記オーディオ信号の経路を模擬したユーザインタフェースの表示を制御する表示制御手段と、
前記ユーザインタフェースを構成する、前記オーディオ信号処理回路にそれぞれ対応するオブジェクトに対するユーザ操作に応じ、前記オーディオ信号処理回路での処理のパラメータを設定する設定手段と
を含み、
前記表示制御手段は、前記ユーザインタフェースの前記オブジェクトに対するユーザからのオーディオ信号遮断操作に応じ、前記ユーザインタフェース上の前記経路に対応する前記オブジェクトの表示方法を、前記オーディオ信号が遮断された部分と遮断されていない部分とで変更させる
情報処理装置。
【請求項２】
オーディオ信号を処理する複数のオーディオ信号処理回路が段階的に配置されて構成されるオーディオミキサを制御する情報処理装置の情報処理方法において、
前記オーディオミキサの回路構成、および前記オーディオ信号の経路を模擬したユーザインタフェースを表示させ、
前記ユーザインタフェースを構成する、前記オーディオ信号処理回路にそれぞれ対応するオブジェクトに対するユーザ操作に応じ、前記オーディオ信号処理回路での処理のパラメータを設定し、
前記ユーザインタフェースの前記オブジェクトに対するユーザからのオーディオ信号遮断操作に応じ、前記ユーザインタフェース上の前記経路に対応する前記オブジェクトの表示方法を、前記オーディオ信号が遮断された部分と遮断されていない部分とで変更させる
ステップを含む情報処理方法。
【請求項３】
オーディオ信号を処理する複数のオーディオ信号処理回路が段階的に配置されて構成されるオーディオミキサを制御する情報処理用のプログラムであって、
前記オーディオミキサの回路構成、および前記オーディオ信号の経路を模擬したユーザインタフェースを表示させ、
前記ユーザインタフェースを構成する、前記オーディオ信号処理回路にそれぞれ対応するオブジェクトに対するユーザ操作に応じ、前記オーディオ信号処理回路での処理のパラメータを設定し、
前記ユーザインタフェースの前記オブジェクトに対するユーザからのオーディオ信号遮断操作に応じ、前記ユーザインタフェース上の前記経路に対応する前記オブジェクトの表示方法を、前記オーディオ信号が遮断された部分と遮断されていない部分とで変更させる
ステップを含む処理をコンピュータに実行させるプログラムが記録されている記録媒体。
【発明の詳細な説明】
【０００１】
【発明の属する技術分野】
本発明は、情報処理装置および方法、並びに記録媒体に関し、例えば、オーディオ信号等に対して段階的に信号処理を施し、処理結果をモニタリングする場合に用いて好適な情報処理装置および方法、並びに記録媒体に関する。
【０００２】
【従来の技術】
従来、多チャンネルのオーディオ信号に対して多段階の信号処理を施し、処理信号をミキシングすることができるアプリケーションプログラム、すなわち、パーソナルコンピュータ等をオーディオミキサとして機能させることができるアプリケーションプログラム（以下、オーディオミキサアプリケーション）が存在する。
【０００３】
従来のオーディオミキサアプリケーションの操作画面（以下、GUI(Graphical User Interface)と記述する）は、既存のオーディオミキサコンソール（ハードウェア）を模擬したものが多い。
【０００４】
【発明が解決しようとする課題】
既存のオーディオミキサコンソールを模擬したオーディオミキサアプリケーションのGUIは、既存のオーディオミキサコンソールを操作した経験を持つユーザにとって扱い易い利点があるが、既存のオーディオミキサコンソールが有していた次のような問題点もそのまま有している。
【０００５】
例えば、最後段のスピーカから音が出るように操作したにも拘わらず、音が出ないようなトラブルが発生した場合、既存のオーディオミキサコンソールおよびそれを模擬したGUIでは、オーディオ信号の伝達経路のどの部分で不具合が発生しているのかを視覚的に知ることができない。
【０００６】
よって、不具合が発生している箇所を特定するためには、オーディオ信号の入力部分の接続、オーディオミキサの設定、スピーカとの接続、増幅器の設定等、トラブルの要因として疑わしい複数の箇所を順次調査する必要があった。
【０００７】
特に、オーディオミキサの設定は、多チャンネル多段階に亘っているので、その設定の調査確認が面倒であり、不具合が発生している箇所を瞬時に特定することができない課題があった。
【０００８】
本発明はこのような状況に鑑みてなされたものであり、不具合が発生している箇所を瞬時に視認し易くするため、オーディオミキサの設定を視覚的に瞬時に把握できるようにするものである。
【０００９】
【課題を解決するための手段】
本発明の情報処理装置は、オーディオミキサの回路構成、およびオーディオ信号の経路を模擬したユーザインタフェースの表示を制御する表示制御手段と、ユーザインタフェースを構成する、オーディオ信号処理回路にそれぞれ対応するオブジェクトに対するユーザ操作に応じ、オーディオ信号処理回路での処理のパラメータを設定する設定手段とを含み、表示制御手段は、ユーザインタフェースのオブジェクトに対するユーザからのオーディオ信号遮断操作に応じ、ユーザインタフェース上の経路に対応するオブジェクトの表示方法を、オーディオ信号が遮断された部分と遮断されていない部分とで変更させる。
【００１２】
本発明の情報処理方法は、オーディオミキサの回路構成、およびオーディオ信号の経路を模擬したユーザインタフェースを表示させ、ユーザインタフェースを構成する、オーディオ信号処理回路にそれぞれ対応するオブジェクトに対するユーザ操作に応じ、オーディオ信号処理回路での処理のパラメータを設定し、ユーザインタフェースのオブジェクトに対するユーザからのオーディオ信号遮断操作に応じ、ユーザインタフェース上の経路に対応するオブジェクトの表示方法を、オーディオ信号が遮断された部分と遮断されていない部分とで変更させるステップを含む。
【００１３】
本発明の記録媒体は、オーディオミキサの回路構成、およびオーディオ信号の経路を模擬したユーザインタフェースを表示させ、ユーザインタフェースを構成する、オーディオ信号処理回路にそれぞれ対応するオブジェクトに対するユーザ操作に応じ、オーディオ信号処理回路での処理のパラメータを設定し、ユーザインタフェースのオブジェクトに対するユーザからのオーディオ信号遮断操作に応じ、ユーザインタフェース上の経路に対応するオブジェクトの表示方法を、オーディオ信号が遮断された部分と遮断されていない部分とで変更させるステップを含む処理をコンピュータに実行させるプログラムが記録されている。
【００１４】
本発明においては、オーディオミキサの回路構成、およびオーディオ信号の経路を模擬したユーザインタフェースが表示され、ユーザインタフェースを構成する、オーディオ信号処理回路にそれぞれ対応するオブジェクトに対するユーザ操作に応じ、オーディオ信号処理回路での処理のパラメータが設定され、ユーザインタフェースのオブジェクトに対するユーザからのオーディオ信号遮断操作に応じ、ユーザインタフェース上の経路に対応するオブジェクトの表示方法が、オーディオ信号が遮断された部分と遮断されていない部分とで変更される。
【００１５】
【発明の実施の形態】
本発明を適用したビデオ編集システムの構成例について、図１を参照して説明する。当該ビデオ編集システムは、パーソナルコンピュータ１、ビデオテープレコーダ（以下、VTRと記述する）２、ビデオモニタ３、およびスピーカ４から構成される。
【００１６】
パーソナルコンピュータ１は、例えばWindows2000（商標）等のオペレーションシステム上でビデオ編集アプリケーションプログラムを実行することにより、ノンリニアビデオ編集機として動作する。具体的には、ノンリニアビデオ編集機としてのパーソナルコンピュータ１は、VTR２から供給されるＡＶ信号を編集して、編集結果としてのビデオ信号をビデオモニタ３に、オーディオ信号をスピーカ４に出力したり、編集結果をVTR２に出力する。
【００１７】
なお、VTR２の代わりに、磁気テープ以外の情報記録媒体（例えば、DVD(Digital Versatile Disk)、ハードディスク等）にＡＶ信号を記録して、また、再生するようなビデオ録画再生装置を用いてもかまわない。
【００１８】
また、編集素材としてのＡＶ信号を読み出すVTRと、編集結果としてのＡＶ信号を記録するVTRを別個のものとしてもよい。
【００１９】
図２は、ビデオ編集アプリケーションプログラムを実行するパーソナルコンピュータ１の構成例を示している。
【００２０】
パーソナルコンピュータ１は、CPU(Central Processing Unit)１１を内蔵している。CPU１１にはバス１４を介して、入出力インタフェース１５が接続されている。入出力インタフェース１５には、キーボード、マウスの他、USB(Universal Serial Bus)ポート（不図示）を介して接続されるフェーダコントローラ等の入力デバイスよりなる入力部１６、各種のGUI（後述）を表示するLCD(Liquid Crystal Display)またはCRT(Cathode Ray Tube)等よりなる表示部１７、ＡＶ信号に所定の信号処理を施すＡＶ信号処理ボード１８、プログラムや編集対象としてのＡＶデータを格納するハードディスクドライブなどよりなる記憶部２０、および、磁気ディスク２２（フロッピディスクを含む）、光ディスク２３（CD-ROM(Compact Disc-Read Only Memory)、DVD(Digital Versatile Disc)を含む）、光磁気ディスク２４（ＭＤ(Mini Disc)を含む）、もしくは半導体メモリ２５などの記録媒体に対してデータを読み書きするドライブ２１が接続されている。
【００２１】
バス１４には、ブート用プログラムが格納されているROM(Read Only Memory)１２や、CPU１１の作業領域として用いられるRAM(Random Access Memory)１３が接続されている。
【００２２】
ＡＶ信号処理ボード１８には、ＡＶ信号処理ボード１８から供給されるＡＶ信号をVTR２、ビデオモニタ３、またはスピーカ４に分配したり、VTR２から供給されるＡＶ信号をＡＶ信号処理ボード１８に出力する信号分配用ブレークボックス１９が接続されている。
【００２３】
パーソナルコンピュータ１にノンリニアビデオ編集機としての動作を実行させるビデオ編集アプリケーションプログラムは、磁気ディスク２２、光ディスク２３、光磁気ディスク２４、または半導体メモリ２５に格納された状態でパーソナルコンピュータ１に供給され、ドライブ２１によって読み出されて、記憶部２０に内蔵されるハードディスクドライブにインストールされている。記憶部２０にインストールされているビデオ編集アプリケーションプログラムは、入力部１６に入力されるユーザからのコマンドに対応するCPU１１の指令によって、記憶部２０からRAM１３にロードされて実行される。
【００２４】
次に、パーソナルコンピュータ１が実行するビデオ編集アプリケーションプログラムの機能について、図３を参照して説明する。図３は、ビデオ編集アプリケーションプログラムの機能ブロックを示している。
【００２５】
ビデオ編集アプリケーションプログラムは、主に、ロギングツール(Logging tool)３１、クリップエクスプローラ(Clip Explorer)３２、タイムラインエディタ(Timeline Editor)３３、およびレコードトゥVTR(Record to VTR)３４から構成される。
【００２６】
ロギングツール３１は、VTR２から供給されるＡＶ信号をデジタイズして記憶部２０に記録する。図４に、ロギングツール３１に対応するGUIの表示例を示す。
【００２７】
クリップエクスプローラ３２は、記憶部２０に記録されたＡＶ信号の一覧を表示する。図５に、クリップエクスプローラ３２に対応するGUIの表示例を示す。
【００２８】
タイムラインエディタ３３は、GUI上のタイムライントラックに、記憶部２０に記録されたＡＶ信号をクリップ単位で貼付することにより編集を実行する。図６に、タイムラインエディタ３３に対応するGUI（以下、タイムラインエディタGUIと記述する）の表示例を示す。
【００２９】
なお、タイムラインエディタ３３が編集するＡＶ信号のうち、オーディオ信号に対しては、さらに、オーディオミキサ専用のGUI（以下、オーディオミキサGUIと記述する）が設定されている。図７に、オーディオミキサGUIの表示例を示す。
【００３０】
レコードトゥVTR３４は、タイムラインエディタ３３の編集結果のＡＶ信号をVTR２に出力して記録させる。図８に、レコードトゥVTR３４に対応するGUIが表示部１７に表示された例を示す。
【００３１】
次に、タイムラインエディタ３３が有するＡＶ信号を編集する機能のうち、オーディオ信号の編集に関わる機能（以下、オーディオ編集機能と略記する）について、図９に示す機能ブロック図を参照して説明する。
【００３２】
オーディオ編集機能のタイムラインエディタGUI部４１は、タイムラインエディタGUI（図６）に対するユーザの操作に対応して、タイムラインデータベース４３に記録されている再生リスト（どのタイミングにおいて、どのオーディオファイルを再生するかが記述されたリスト）を編集する。タイムラインエディタGUI部４１はまた、メイン制御部４４に制御コマンドを出力する。
【００３３】
オーディオミキサGUI部４２は、オーディオミキサGUI（図７）に対するユーザの操作に対応して、オーディオミキサの各種パラメータの設定を変更する。変更されたオーディオミキシングの各種パラメータの情報は、タイムラインエディタGUI部４１に通知されて、タイムラインデータベース４３に記録されている再生リストと対応付けて記憶される。
【００３４】
メイン制御部４４は、オーディオ制御部４５およびビデオ制御部４６を制御する。オーディオ制御部４５は、オーディオ信号の出力に係わる後段のオーディオアウトプットエンジン４７およびオーディオエンジン５０を制御する。ビデオ制御部４６は、ビデオ信号の出力に関わる後段のビデオアウトプットエンジン４８およびフレームｂｙフレーム制御部５１を制御する。ＡＶコントロール部４９は、オーディオアウトプットエンジン４７とビデオアウトプットエンジン４８の動作を同期させる。
【００３５】
ＡＶ信号処理ドライバ５２は、オーディオエンジン５０およびビデオアウトプットエンジン４８からの制御に基づき、オーディオエンジン５０およびフレームｂｙフレーム制御部５１からそれぞれ供給される再生データを再生するように、ＡＶ信号処理ボード１８を制御する。
【００３６】
オーディオ編集機能の動作について説明する。ユーザがタイムラインエディタGUIに対して編集中の再生リストの実行（すなわち、再生リストに基づくオーディオ信号の再生）を指示した場合、タイムラインエディタGUI部４１は、メイン制御部４４に再生の制御コマンドを出力する。メイン制御部４４は、タイムラインエディタGUI部４１からの制御コマンドに対応して、オーディオ制御部４５およびビデオ制御部４６に再生の制御コマンドを出力する。
【００３７】
オーディオ制御部４５は、メイン制御部４４からの再生の制御コマンドに対応して、タイムラインデータベース４３から、再生リストおよび対応付けられているオーディオミキサのパラメータを取得してオーディオエンジン５０に供給する。オーディオ制御部４５はまた、メイン制御部４４からの再生の制御コマンドに対応して、オーディオアウトプットエンジン４７に再生依頼を出力する。オーディオアウトプットエンジン４７は、オーディオ制御部４５からの再生依頼に対応して、オーディオエンジン５０に再生の制御コマンドを出力する。
【００３８】
オーディオエンジン５０は、オーディオ制御部４５からの再生リストおよびオーディオミキサパラメータ、並びに、オーディオアウトプットエンジン４７からの制御コマンドに対応し、ＡＶ信号処理ボードドライバ５２にオーディオ再生の制御コマンドと再生データを出力する。ＡＶ信号処理ボードドライバ５２は、オーディオエンジン５０からの制御コマンドと再生コマンドに基づいてＡＶ信号処理ボード１８を操作し、オーディオ信号の再生を開始させる。
【００３９】
ユーザがタイムラインエディタGUIに対して、再生リストの実行停止を指示した場合、タイムラインエディタGUI部４１は、メイン制御部４４に停止の制御コマンドを出力する。メイン制御部４４は、タイムラインエディタGUI部４１からの制御コマンドに対応して、オーディオ制御部４５およびビデオ制御部４６に停止の制御コマンドを出力する。
【００４０】
オーディオ制御部４５は、メイン制御部４４からの停止の制御コマンドに対応して、オーディオアウトプットエンジン４７に停止依頼を出力する。オーディオアウトプットエンジン４７は、オーディオ制御部４５からの停止依頼に対応して、オーディオエンジン５０に停止の制御コマンドを出力する。
【００４１】
オーディオエンジン５０は、オーディオアウトプットエンジン４７からの制御コマンドに対応し、ＡＶ信号処理ボードドライバ５２にオーディオ停止の制御コマンドを出力する。ＡＶ信号処理ボードドライバ５２は、オーディオエンジン５０からの制御コマンドに対応し、ＡＶ信号処理ボード１８にオーディオ信号の再生を停止させる。
【００４２】
次に、ＡＶ信号処理ボード１８について説明する。ＡＶ信号処理ボード１８は、オーディオ信号処理専用のDSP(Digital Signal Processor)を搭載しており、記録部２０に記録された複数のトラックのオーディオ信号をミキシングするオーディオミキサとして動作する。
【００４３】
図１０は、図７に示したオーディオミキサGUIに対するユーザの操作に対応して、２４トラックのオーディオ信号をミキシングするオーディオミキサとしてのＡＶ信号処理ボード１８の機能ブロック図を示している。なお、図７のオーディオミキサGUIには、１トラックのオーディオ信号に対してミキサパラメータを設定するためのトラックモジュール（図１１を参照して後述する）が、８トラック分（トラック１乃至８）同時に表示されている。
【００４４】
ＡＶ信号処理ボード１８には、記憶部２０から読み出されるトラックＮ（Ｎ＝１，２、・・・、２４）のオーディオ信号を処理する系として、オーディオ信号を所定のレベルに増幅するゲイン(GAIN)６１−Ｎ、オーディオ信号の各周波数帯域のレベルをユーザの指定に従って設定するイコライザ（ＥＱ）６２−Ｎ、オーディオ信号をミュートさせるミュート(MUTE)６３−Ｎ、オーディオ信号にフェーディングを施すフェーダ(FADER)６４−Ｎ、および、オーディオ信号を左右（ＬＲ）に振り分けるパン(PAN)６５−Ｎが設けられている。
【００４５】
パン６５−１乃至６５−２４からの出力は、グループバス６７に出力される。１つ以上のソロトラックが出力された場合、当該トラックのオーディオ信号だけがグループバス６７に出力される。
【００４６】
グループバス６７は、ソロ６６から入力される２４トラックの左右のオーディオ信号を、ユーザの指定に従って合成し、得られるプログラム信号（合成されたオーディオ信号）PGM１乃至PGM８をマスタフェーダ６８に出力する。マスタフェーダ６８は、グループバス６７から入力されるプログラム信号を所定のレベルに増幅してSDIアウトプット６９に出力する。SDIアウトプット６９は、マスタフェーダ６８からのプログラム信号PGM１乃至PGM８をSDIフォーマットに変換して信号分配用ブレークアウトボックス１９に出力する。
【００４７】
次に、図１１は、オーディオミキサGUI上のトラックモジュールの構成例を示している。図１０に示したＡＶ信号処理ボード１８と図１１のトラックモジュールを比較して明らかなように、ＡＶ信号処理ボード１８においてオーディオ信号を処理するゲイン６１−Ｎ乃至ソロ６６の処理順序と同じ順序で、トラックモジュール上の上方から下方に向かってボタン、スライダ等が設けられている。
【００４８】
トラックＮに対応するトラックモジュールのトラックネームエディット８１は、トラックの名称を設定できるGUIを表示させるときクリックされる。クリップゲイン８２は、オーディオエンジン５０のゲイン６１−Ｎでの利得を設定するとき操作される。イコライザボタン８３は、イコライザ６２−Ｎでの周波数帯域特性を設定するイコライザ用のGUIを表示させるときクリックされる。ミュートボタン８４は、ミュート６３−Ｎでのミュートのオン／オフを切り換えるときクリックされる。
【００４９】
トラックレベルフェーダ８５は、フェーダ６４−Ｎにフェーディングを実行させるときスライドされる。フェーダグループボタン８６は、複数のトラックに亘ってフェーディングを連動させるときのトラックの組み合わせを設定するとき操作される。パンスライダ８７は、パン６５−Ｎでオーディオ信号を左右に振り分ける配分を設定するとき操作される。ソロボタン８８は、ソロ６６で当該トラックのオーディオ信号だけを通過させてモニタリングするときクリックされる。ルータボタン８９は、グループバス６７でプログラム信号を生成するトラックを選択するGUIを表示させるときクリックされる。
【００５０】
オートメーションリードボタン９０は、記録されている当該トラックモジュールに対する操作を再現させるときクリックされる。オートメーションライトボタン９１は、当該トラックモジュールに対する操作を記録させるときクリックされる。
【００５１】
リアルタイムボタン９２は、当該トラックをＡＶ信号処理ボード１８のトラックに割り当てるときクリックされる。メータセレクトボタン９３は、信号のレベルをメータ９５に表示させる回路上のポイントを指定するときクリックされる。オーバフローインジケータ９４は、メータセレクトボタン９３によって指定されたポイントを通過するオーディオ信号のレベルが所定の閾値を超えているとき点灯する。メータ９５は、メータセレクトボタン９３によって指定されたポイントを通過するオーディオ信号のレベルを視覚的に表示する。
【００５２】
さらに、トラックモジュールのボタン等の間には、ＡＶ信号処理ボード１８においてオーディオ信号を処理するゲイン６１−Ｎ乃至ソロ６６の間の経路に対応するウェイブパイプ(Wave Pipe)が表示される。
【００５３】
例えば、トラック１のトラックモジュールのイコライザボタン８３とミュートボタン８４の間に表示されるウェイブパイプは、イコライザ６２−１とミュート６３−１の間の経路に対応している。また例えば、トラックレベルフェーダ８５とパンスライダ８７の間に表示されるウェイブパイプは、ＡＶ信号処理ボード１８のフェーダ６４−１とパン６５−１の間の経路に対応している。
【００５４】
ウェイブパイプは、ＡＶ信号処理ボード１８上の対応する経路が、トラックモジュールのミュートボタン８４、トラックレベルフェーダ８５、パンスライダ８７、およびソロボタン８９の設定に対応して、オーディオ信号を通過する状態にある場合と、反対に、ＡＶ信号処理ボード１８上の対応する経路がオーディオ信号を通過しない状態にある場合において表示色が変化される。
【００５５】
具体的には、例えば、トラック１に対応するトラックモジュールのミュートボタン８４がクリックされた場合、ＡＶ信号処理ボード１８上において、オーディオ信号は、ミュート６３−１よりも後段には伝送されない。この場合、トラックモジュールのミュートボタン８４までウェイブパイプは緑色で表示され、ミュートボタン８４以降のウェイブパイプは赤色で表示される。
【００５６】
ここで、ＡＶ信号処理ボード１８上の対応する経路の状態に応じてウェイブパイプの表示色を変化させるオーディオミキサGUI部４２の動作について、図１２のフローチャートを参照して説明する。このウェイブパイプ表示制御処理は、図７に示したオーディオミキサGUIは表示されている間、トラックモジュール毎に独立して実行される。
【００５７】
ステップＳ１において、オーディオミキサGUI部４２は、トラックモジュール上のトラックネームエディタ８１からミュートボタン８４までのウェイブパイプを緑色で表示する。
【００５８】
ステップＳ２において、オーディオミキサGUI部４２は、ミュートボタン８４がオンとされたか否か判定する。ミュートボタン８４がオンとされていないと判定された場合、ステップＳ３に進む。
【００５９】
ステップＳ３において、オーディオミキサGUI部４２は、トラックモジュール上のミュートボタン８４からトラックレベルフェーダ８５までのウェイブパイプを緑色で表示する。
【００６０】
ステップＳ４において、オーディオミキサGUI部４２は、トラックレベルフェーダ８５が−∞に設定されたか否か判定する。トラックレベルフェーダ８５が−∞に設定されていないと判定された場合、ステップＳ５に進む。
【００６１】
ステップＳ５において、オーディオミキサGUI部４２は、トラックモジュール上のトラックレベルフェーダ８５からパンスライダ８７までのウェイブパイプを緑色で表示する。
【００６２】
ステップＳ６において、オーディオミキサGUI部４２は、パンスライダ８７が左右いずれか最大に設定されたか否か判定する。パンスライダ８７が左右いずれか最大に設定されていないと判定された場合、ステップＳ５に進む。
【００６３】
ステップＳ７において、オーディオミキサGUI部４２は、トラックモジュール上のパンスライダ８７からソロボタン８までのウェイブパイプを緑色で表示する。
【００６４】
ステップＳ８において、オーディオミキサGUI部４２は、当該トラックのソロボタン８８がオフとされ、かつ、他のトラックモジュールのソロボタン８８がオンとされているか否か判定する。当該トラックのソロボタン８８がオフとされていない、または、他のトラックモジュールのソロボタン８８がオンとされていないと判定された場合、ステップＳ９に進む。
【００６５】
ステップＳ９において、オーディオミキサGUI部４２は、トラックモジュール上のソロボタン８８からルータ８９までのウェイブパイプを緑色で表示する。処理はステップＳ２に戻る。
【００６６】
ステップＳ２において、ミュートボタン８４がオンとされていると判定された場合、ステップＳ１０に進む。ステップＳ１０において、オーディオミキサGUI部４２は、図１３（Ｃ）に示すように、ミュートボタン８４以降のウェイブパイプを赤色で表示する。処理はステップＳ２に戻る。
【００６７】
ステップＳ４において、トラックレベルフェーダ８５が−∞に設定されていると判定された場合、ステップＳ１０に進む。ステップＳ１０において、オーディオミキサGUI部４２は、図１３（Ａ）に示すように、トラックフェーダ８５以降のウェイブパイプを赤色で表示する。処理はステップＳ２に戻る。
【００６８】
ステップＳ６において、パンスライダ８７が左右いずれか最大に設定されていると判定された場合、ステップＳ１０に進む。ステップＳ１０において、オーディオミキサGUI部４２は、図１３（Ｂ）に示すように、パンスライダ８７以降のパンスライダ８７が最大に設定されていない側のウェイブパイプを赤色で表示する。具体的には、パンスライダ８７が左最大に設定されていると判定された場合、パンスライダ８７以降の右側のウェイブパイプが赤色で表示される。反対に、パンスライダ８７が右最大に設定されていると判定された場合、パンスライダ８７以降の左側のウェイブパイプが赤色で表示される。
【００６９】
ステップＳ８において、他のトラックモジュールのソロボタン８８がオンとされていると判定された場合、ステップＳ１０に進む。ステップＳ１０において、オーディオミキサGUI部４２は、ソロボタン８８以降のウェイブパイプを赤色で表示する。処理はステップＳ２に戻る。
【００７０】
その後、当該処理はオーディオミキサGUIの表示が終了されるまで、繰り返し実行される。
【００７１】
以上説明したように、オーディオミキサGUIの各トラックモジュールのウェイブパイプは、トラックモジュールのミュートボタン８４、トラックレベルフェーダ８５、パンスライダ８７、およびソロボタン８９の設定に対応して表示色が変化されるので、ユーザは、ミュートボタン８４のオン／オフ、トラックレベルフェーダ８５の設定の状態等を確認しなくても、オーディオ信号が流れる状態であるか否かを視覚的に把握することが可能となる。
【００７２】
なお、本実施の形態においては、オーディオ信号が流れる状態であるか否かをウェイブパイプの表示色を代えることによって区別するようにしたが、例えば、ウェイブパイプの形状を変化させるようにしてもよい。
【００７３】
また、ウェイブパイプを常に表示するのではなく、ユーザから表示の指示があったときだけ表示するようにしてもよい。
【００７４】
さらに、本発明は、オーディオ信号以外の信号や、物質の流れを制御する表示系、操作系に適用することが可能である。
【００７５】
また、本発明は、ディスプレイ上のGUIだけではなく、ハードウェアの各種コンソールに適用することが可能である。
【００７６】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００７７】
また、本明細書において、システムとは、複数の装置により構成される装置全体を表すものである。
【００７８】
【発明の効果】
以上のように、本発明によれば、不具合が発生している箇所を瞬時に視認し易くするため、オーディオミキサの設定を視覚的に瞬時に把握することが可能となる。
【図面の簡単な説明】
【図１】本発明を適用したビデオ編集システムの構成例を示すブロック図である。
【図２】パーソナルコンピュータ１の構成例を示すブロック図である。
【図３】パーソナルコンピュータ１で実行されるビデオ編集アプリケーションプログラムの機能ブロック図である。
【図４】ロギングツールに対応するGUIの表示例を示す中間調画像の写真である。
【図５】クリップエクスプローラに対応するGUIの表示例を示す中間調画像の写真である。
【図６】タイムラインエディタに対応するGUIの表示例を示す中間調画像の写真である。
【図７】オーディオミキサGUIの表示例を示す中間調画像の写真である。
【図８】レコードトゥVTRに対応するGUIの表示例を示す中間調画像の写真である。
【図９】オーディオミキサの機能ブロック図である。
【図１０】ＡＶ信号処理ボード１８の機能ブロック図である。
【図１１】トラックモジュールの詳細を示す図である。
【図１２】オーディオミキサGUI部４２のウェイブパイプ表示制御処理を説明するフローチャートである。
【図１３】トラックモジュール上のウェイブパイプの表示例を示す図である。
【符号の説明】
１  パーソナルコンピュータ，  １８  ＡＶ信号処理ボード，  ２２  磁気ディスク，  ２３  光ディスク，  ２４  光磁気ディスク，  ２５  半導体メモリ，  ３１  ロギングツール，  ３２  クリップエクスプローラ，  ３３  タイムラインエディタ，  ３４  レコードトゥVTR，  ４１  タイムラインエディタGUI部，  ８４  ミュートボタン，  ８５  トラックレベルフェーダ，  ８７  パンスライダ  ，  ８８  ソロボタン
【図１】
0004457466.tif 000002
【図２】
0004457466.tif 000003
【図３】
0004457466.tif 000004
【図４】
0004457466.tif 000005
【図５】
0004457466.tif 000006
【図６】
0004457466.tif 000007
【図７】
0004457466.tif 000008
【図８】
0004457466.tif 000009
【図９】
0004457466.tif 000010
【図１０】
0004457466.tif 000011
【図１１】
0004457466.tif 000012
【図１２】
0004457466.tif 000013
【図１３】
0004457466.tif 000014